(57)【特許請求の範囲】
【請求項１】
被記録媒体に対して多数のノズルからインク滴を吐出することによって画像を記録するインクジェット記録ヘッドと、上記ノズルからインクを吸引するパージ機構とを有するインクジェット記録装置であって、
上記パージ機構は、
平板状に形成された基部及び当該基部に立設され、先端が上記インクジェット記録ヘッドに当接することにより上記ノズルを気密的に囲繞し得る筒状のリップ部を有するキャップと、
上記リップ部がインクジェット記録ヘッドに当接した状態で当該インクジェット記録ヘッドと上記キャップとの間に形成される空間の圧力を低下させる吸引ポンプと、
上記キャップ内に配置され、当該キャップの内側から上記リップ部を支持し得る支持部材とを備え、
上記基部及びリップ部は、ゴムにより一体的に形成されており、
上記基部のうち少なくとも上記リップ部の内側に対応する部分は、上記空間の圧力が低下したときに上記リップ部よりも容易に変形して当該リップ部の内側へ突出するように当該リップ部よりも薄肉に形成されており、
上記支持部材は、上記基部の変形に伴って上記リップ部の先端部の内側に当接する当接部を有しているインクジェット記録装置。
【請求項２】
上記リップ部の先端部は、上記インクジェット記録ヘッドに当接する接触面、当該接触面から上記リップ部の奥側内方に斜めに延びる第１傾斜面、及び当該第１傾斜面に対して鋭角をなして連続し、当該第１傾斜面からさらに上記リップ部の奥側外方に斜めに延びる第２傾斜面を有する断面Ｖ字状に形成されており、
上記支持部材の当接部は、上記第２傾斜面に当接して当該第２傾斜面を支持するショルダー面が形成されている請求項１に記載のインクジェット記録装置。
【請求項３】
上記先端部の先端と上記当接部が当接する部位との間の距離は、
上記空間の圧力が低下して上記基部が変形した状態で上記支持部材と上記インクジェット記録ヘッドとの接触が回避されるように設定されている請求項１又は２に記載のインクジェット記録装置。
【発明の詳細な説明】
【技術分野】
【０００１】
本発明は、ノズルからインク滴を吐出するインクジェット記録ヘッドを備えたインクジェット記録装置の構造に関するものである。
【背景技術】
【０００２】
インクジェット記録装置は、プラテン上に配置された記録用紙にインクジェット記録ヘットからインク滴を吐出することによって、当該記録用紙に画像を記録する。インクジェット記録ヘッドは、多数のノズルを備えており、一般に、各ノズルからブラックインクのほか、イエローインク、マゼンタインク及びシアンインク等のカラーインクが吐出されるようになっている。この場合、各ノズルは、各色インクを吐出するものではなく、各色インクに対応するノズルが予め決定されている。
【０００３】
インクジェット記録装置は、常時使用されるとは限らず、例えば一般家庭用として使用されるときは、その使用頻度が低いことも予想される。インクジェット記録装置が使用されないときにインクジェット記録ヘッドのノズルが外気に曝されていると、ノズル内のインクが乾燥し、増粘化する虞れがある。また、たとえ頻繁に画像記録が行われるとしても、記録用紙に形成される画像が多色のインクによるカラー記録であるとは限らず、したがって、常時すべてのノズルからインク滴が吐出されるものではない。そのため、使用頻度の低いノズルにおいては、当該ノズル内でインクが乾燥し、増粘化する虞れがある。仮にインクがノズル内で乾燥して増粘化したとすると、インク滴がノズルから良好に吐出されなくなる。したがって、従来からインクジェット記録装置においては、非記録時にインクジェット記録ヘッドのノズルを密閉する待機用キャップ部材が備えられている。さらに、インクの増粘化によるノズルの詰まりの解消や防止のため、ノズルからインクを吸引するパージ装置も備えられている。このパージ装置は、ノズルを囲繞するようにインクジェット記録ヘッドを覆うパージ用キャップ部材と、このパージ用キャップ部材に接続された吸引機構とを備えている。この吸引機構が作動することによってパージ用キャップ部材内の気圧が低下し、これにより、ノズルからインクが吸引される。このように強制的にインクが吸引されることによって、各ノズル内でインクが増粘化することが避けられ、ノズルの詰まりが解消される。なお、待機用キャップ部材とパージ用キャップ部材とは、インクジェット記録装置によっては別部材の場合もあるし、同一部材として兼用されている場合もある。
【０００４】
上記吸引機構が良好にインクを吸引するためには、パージ用キャップ部材が確実に気密的にノズルを囲繞する必要がある。そのため、パージ用キャップ部材は、可撓性に富む材料から構成されるのが好ましい。その一方、ノズルからインクが確実に吸引されるためには、キャップ部材内の圧力が大きく低下される必要があり、そのため、パージ用キャップ部材は、内部が負圧となっても容易に変形しない剛性が求められる。なぜなら、パージ用キャップ部材が変形することによってパージ用キャップ部材が気密的にノズルを囲繞することができなくなるからである。さらに、変形したパージ用キャップ部材がノズルに接触することによって、各ノズルに形成されているインクのメニスカスが破壊され、インク滴が各ノズルから良好に吐出されなくなるおそれがあるからである。
【０００５】
従来のインクジェット記録装置では、上記キャップ部材がノズルを気密的に囲繞するための可撓性と吸引時に容易に変形しない剛性とを両立させるべく、種々の改良が加えられている（例えば、特許文献１〜特許文献４参照）。
【０００６】
【特許文献１】特開２００５−１６１８０３号公報
【特許文献２】特開２００３−１８３９号公報
【特許文献３】特開２０００−２３８２７６号公報
【特許文献４】特開２０００−５２５６７号公報
【発明の開示】
【発明が解決しようとする課題】
【０００７】
ところで、近年におけるインクジェット記録装置では、画像をより精密に且つ高速で記録するためにインクジェット記録ヘッドが大型化され、ノズルの数が増やされている。そのため、キャップ部材が大型化されており、吸引機構もより大きな吸引力を発揮する必要がある。この吸引機構の吸引力が増大されると、上記キャップ部材の変形が一層生じやすくなるため、これを防止する新たな対策が必要となる。その一方、インクジェット記録装置には小型化及びコストダウンの要請があり、これが達成されなければならない。
【０００８】
本発明は、かかる背景のもとになされたものであり、その目的は、インクジェット記録ヘッドからインクを確実に吸引してインク滴の吐出不良を防ぐインクジェット記録装置を提供することである。
【課題を解決するための手段】
【０００９】
(1) 本発明に係るインクジェット記録装置は、被記録媒体に対して多数のノズルからインク滴を吐出することによって画像を記録するインクジェット記録ヘッドと、上記ノズルからインクを吸引するパージ機構とを有する。上記パージ機構は、平板状に形成された基部及び当該基部に立設され、先端が上記インクジェット記録ヘッドに当接することにより上記ノズルを気密的に囲繞し得る筒状のリップ部を有するキャップと、上記リップ部がインクジェット記録ヘッドに当接した状態で当該インクジェット記録ヘッドと上記キャップとの間に形成される空間の圧力を低下させる吸引ポンプと、上記キャップ内に配置され、当該キャップの内側から上記リップ部を支持し得る支持部材とを備える。上記基部及びリップ部は、ゴムにより一体的に形成されており、上記基部のうち少なくとも上記リップ部の内側に対応する部分は、上記空間の圧力が低下したときに上記リップ部よりも容易に変形して当該リップ部の内側へ突出するように当該リップ部よりも薄肉に形成されている。上記支持部材は、上記基部の変形に伴って上記リップ部の先端部の内側に当接する当接部を有している
【００１０】
このインクジェット記録装置では、定期的にパージ機構が作動する。これにより、インクジェット記録ヘッドのノズル内におけるインクの増粘化が防止される。具体的には、キャップがインクジェット記録ヘッドに当接され、当該キャップのリップ部がインクジェット記録ヘッドに設けられたノズルを取り囲んで覆う。この場合、単一のリップ部がすべてのノズルを覆うように構成されていてもよいし、例えば、ブラックインクに対応するノズルのみを覆うリップ部と、その他のカラーインクに対応するノズルを覆うリップ部とが別々に設けられてもよい。
【００１１】
そして、この状態で吸引ポンプが作動し、キャップ内の圧力が低下される。これにより、インクジェット記録ヘッドとキャップとの間に形成される空間の圧力が負圧となり、上記ノズルからインクが吸い出される。このとき、キャップの基部は、リップ部の内側に突出するように変形し、この基部の変形は支持部材をリップ部の先端側へ移動させる。この支持部材の当接部は、リップ部の先端部の内側に当接し支持する。したがって、仮に、上記空間が負圧となったことに起因してリップ部が内側に座屈倒伏しようとした場合であっても、支持部材がこれを防止してリップ部とインクジェット記録ヘッドとの接触状態を確実に維持する。
【００１２】
このように、キャップの基部の変形が支持部材を移動させ、この支持部材がリップ部とインクジェット記録ヘッドとの接触状態を維持するので、仮にリップ部が可撓性に富む構造を有する場合であっても、また、吸引ポンプがキャップ内の圧力を大きく低下させた場合であっても、リップ部が座屈してインクジェット記録ヘッドとの間に隙間が形成されることがない。したがって、インクジェット記録ヘッドのノズルは、キャップによって確実に気密的に囲繞され、パージ機構によって確実にノズルからインクが吸引される。
【００１３】
上記基部及びリップ部は、ゴムにより一体的に形成されており、また、上記基部のうち少なくとも上記リップ部の内側に対応する部分は、上記空間の圧力が低下したときに上記リップ部よりも容易に変形するように当該リップ部よりも薄肉に形成されている。
【００１４】
上記基部及びリップ部がゴムにより一体的に形成されることにより、上記キャップが単一の部品として構成される。したがって、部品点数が削減され、インクジェット記録装置の製造コストの低減が図られる。また、上記リップ部をインクジェット記録ヘッドに押し付けるための上記支持部材の移動は、上記基部の薄肉化というきわめて簡単な手段により実現されている。したがって、上記支持部材を移動させるための構造がきわめて簡単であり、インクジェット記録装置の製造コストの上昇が抑制される。
【００１５】
(2) 上記リップ部の先端部は、上記インクジェット記録ヘッドに当接する接触面、当該接触面から上記リップ部の奥側内方に斜めに延びる第１傾斜面、及び当該第１傾斜面に対して鋭角をなして連続し、当該第１傾斜面からさらに上記リップ部の奥側外方に斜めに延びる第２傾斜面を有する断面Ｖ字状に形成されているのが好ましい。そして、上記支持部材の当接部は、上記第２傾斜面に当接して当該第２傾斜面を支持するショルダー面が形成されているのが好ましい。
【００１６】
この場合、リップ部の先端部は、断面形状がＶ字状に形成され、その頂部が当該リップ部の内側に突出している。このリップ部の接触面が上記インクジェット記録ヘッドに当接され、上記吸引ポンプが作動すれば、当該リップ部の先端部は、キャップ内が負圧になることから内側に倒伏する傾向にある。リップ部の先端部が内側に倒伏しようとした場合には、当該先端部の第２傾斜面に上記支持部材のショルダー面が当接し、リップ部の先端部が支持される。そして、この支持部材は、前述のように基部の変形によって移動されるから、上記リップ部の先端部は内側に座屈することなく、インクジェット記録ヘッドに確実に当接される。
【００１７】
(3) 上記先端部の先端と上記当接部が当接する部位との間の距離は、上記空間の圧力が低下して上記基部が変形した状態で上記支持部材と上記インクジェット記録ヘッドとの接触が回避されるように設定されているのが好ましい。
【発明の効果】
【００１８】
本発明によれば、キャップがインクジェット記録ヘッドのノズルを確実に気密的に囲繞することができるので、パージ機構が良好に機能し、インクジェット記録ヘッドからインクが確実に吸引される。したがって、インクジェット記録装置の使用頻度にかかわらずノズルの詰まりが確実に防止され、インク滴の良好な吐出が確保される。
【発明を実施するための最良の形態】
【００１９】
以下、適宜図面が参照されつつ、好ましい実施形態に基づいて本発明が詳細に説明される。
【００２０】
図１は、本発明の一実施形態に係る複合機１０（インクジェット記録装置）の外観構成を示す斜視図である。
【００２１】
この複合機１０は、下部にプリンタ部１１を、上部にスキャナ部１２を一体的に備えた多機能装置（ＭＦＤ：Multi Function Device）であり、プリンタ機能、スキャナ機能、コピー機能を有する。本実施形態では、複合機１０のうちプリンタ部１１が本発明に係るインクジェット記録装置に相当し、プリンタ機能以外の機能は任意のものである。したがって、本発明は、スキャナ部１２が省略され、スキャナ機能やコピー機能を有しない単機能のプリンタとして実施されても良いし、さらに通信部を備えたファクシミリ機能等を有する複合機として実施されても良い。
【００２２】
本発明が複合機として実施される場合には、本実施形態に係る複合機１０のような小型のものであっても、複数の給紙カセットや自動原稿搬送装置（ＡＤＦ：Auto Document Feeder）を備えた大型のものであってもよい。また、複合機１０は、主に図示されていないコンピュータと接続されて、このコンピュータから送信された画像データや文書データに基づいて被記録媒体（典型的には記録用紙や樹脂フィルム等の媒体。以下、記録用紙と称される。）に画像や文書を記録することができる。さらに、複合機１０は、デジタルカメラ等と接続されて、このデジタルカメラから出力される画像データに基づいて記録用紙に画像を記録したり、各種記憶媒体が装填されることにより、この記憶媒体に記憶された画像データに基づいて記録用紙に画像を記録することもできる。
【００２３】
図１が示すように、複合機１０の横幅寸法及び奥行き寸法が高さ寸法よりも大きく設定されており、複合機の外形は、幅広薄型の概ね直方体となっている。この複合機１０の下部がプリンタ部１１を構成している。このプリンタ部１１は、正面に開口１３が形成されており、この開口１３に露出するようにして給紙トレイ２０及び排紙トレイ２１が設けられている。給紙トレイ２０は、記録用紙を貯蔵するためのものである。給紙トレイ２０は、Ａ４サイズ以下の、Ｂ５サイズ、はがきサイズ等の各種サイズの記録用紙が収容可能である。給紙トレイ２０はスライドトレイ１４を有しており、必要に応じてスライドトレイ１４が引き出され、トレイ面が拡大されるようになっている。給紙トレイ２０に収容された記録用紙は、後述のようにプリンタ部１１の内部へ給送され、所望の画像が記録された後に排紙トレイ２１へ排出されるようになっている。
【００２４】
図２は、複合機１０の断面図である。
【００２５】
複合機１０の上部がスキャナ部１２を構成している。このスキャナ部１２は、所謂フラットベッドスキャナとして構成されている。図１及び図２が示すように、複合機１０は、原稿カバー３０を備えている。この原稿カバー３０は、複合機１０の天板として開閉自在に設けられている。この原稿カバー３０の下側にプラテンガラス３１及び画像読取キャリッジ３２が設けられている。画像が読み取られる原稿は、プラテンガラス３１上に載置される。画像読取キャリッジ３２は、このプラテンガラス３１の下方に配置されている。画像読取キャリッジ３２の主走査方向は、複合機１０の奥行き方向に一致されている。この画像読取キャリッジ３２は、複合機１０の幅方向にスライドすることによって上記原稿から画像を読み取るようになっている。
【００２６】
複合機１０の正面上部に操作パネル１５が設けられている。操作パネル１５は、プリンタ部１１やスキャナ部１２を操作するためのものである。操作パネル１５は各種操作ボタンや液晶表示部から構成されており、複合機１０は、操作パネル１５からの操作指示に基づいて動作する。もっとも、複合機１０に上記コンピュータが接続される場合には、複合機１０は、このコンピュータからプリンタドライバを介して送信される指示によっても動作する。複合機１０の正面の左上部にスロット部１６が設けられている。このスロット部１６に記憶媒体である各種小型メモリカードが装填されるようになっており、各種小型メモリーカードに記憶された画像データが複合機１０に読み込まれる。各種小型メモリーカードから読み出された画像データは、液晶表示部によって表示されるようになっている。そして、複合機１０のユーザーは、操作パネル１５を操作することによって、液晶表示部に表示されている任意の画像を選択し、これをプリンタ部１１により記録用紙に記録させることができる。
【００２７】
図３は、プリンタ部１１の断面図である。
【００２８】
図２及び図３が示すように、上記給紙トレイ２０の奥側（図２、図３において右側）に分離傾斜板２２が設けられている。この分離傾斜板２２は、給紙トレイ２０に積載された記録用紙を分離して上方へ案内するためのものである。この分離傾斜板２２から上方へ向かって搬送路２３が形成されている。図３が示すように、この搬送路２３は、上方へ延びた後に正面側（同図にいて左側）へ湾曲し、さらに複合機１０の背面側から正面側へと延びている。すなわち、この搬送路２３は、複合機１０の背面側から画像記録部２４を通過して排紙トレイ２１へ通じている。したがって、給紙トレイ２０に収容された記録用紙は、搬送路２３に沿って下方から上方へＵターンするように搬送され、画像記録部２４に案内される。この記録用紙は、画像記録部２４によって画像が記録された後、排紙トレイ２１に排出される。
【００２９】
図３が示すように、給紙トレイ２０の上側に給紙ローラ２５が設けられている。この給紙ローラ２５は、給紙トレイ２０に積載された記録用紙を１枚ずつ分離して搬送路２３へ供給する。給紙ローラ２５は給紙アーム２６の先端に軸支されており、給紙アーム２６は、給紙トレイ２０に接離可能に上下動するようになっている。給紙ローラ２５は、複数のギアが噛合されてなる駆動伝達機構２７に連結されている。この駆動伝達機構２７に図示されていないモータが連結されており、このモータの駆動力が給紙ローラ２５に伝達されることにより、給紙ローラ２５が回転するようになっている。
【００３０】
給紙アーム２６は、基端軸１７に支持されており、当該基端軸１７の周りに回動可能となっている。これにより、給紙アーム２６は、基端軸１７を揺動中心として上下方向に揺動可能である。この給紙アーム２６は、給紙トレイ２０が装着された状態では、図示されていない給紙クラッチやバネ等により給紙トレイ２０側に付勢されており、給紙トレイ２０が取り外された状態で、上側へ跳ね上げられるようになっている。給紙アーム２６が下側へ回動することにより、その先端に軸支された給紙ローラ２５が給紙トレイ２０上の記録用紙の表面に圧接する。この状態で給紙ローラ２５が回転すると、当該給紙ローラ２５のローラ面と記録用紙との間に発生する摩擦力が最上位置の記録用紙を上記分離傾斜板３０へ送り出す。この送り出された記録用紙は、その先端が分離傾斜板２２に当接して上方へ案内され、搬送路２３へ送り込まれる。なお、給紙ローラ２５によって最上位置の記録用紙が送り出される際に、その直下の記録用紙が摩擦や静電気の作用によって共に送り出される場合がある。しかし、この記録用紙は分離傾斜板２２に当接することによって制止される。
【００３１】
搬送路２３は、画像記録部２４等が配設されている箇所以外では、所定間隔で対向する外側ガイド面と内側ガイド面とにより区画形成されている。この複合機１０では、外側ガイド面は、プリンタ部１１のフレームの内壁面により構成されており、内側ガイド面は、当該フレーム内に設けられたガイド部材の表面によって構成されている。また、特に搬送路２３が曲がっている箇所には、図３が示すような搬送コロ２９が設けられていてもよい。この搬送コロ２９は、搬送路２３の幅方向（同図において紙面に垂直な方向）を回転中心軸方向として回転自在に設けられている。搬送コロ２９は、そのローラ面が上記外側ガイド面又は内側ガイド面に露出するように取り付けられる。この搬送コロ２９が設けられることにより、記録用紙は、搬送路２３が曲がっている箇所においてもガイド面に接触して円滑に搬送される。
【００３２】
図４は、プリンタ部１１の平面図である。
【００３３】
上記画像記録部２４は、搬送路２３が下方から上方へＵターンした後の下流側に設けられている（図３参照）。図３及び図４が示すように、この画像記録部２４は、主走査方向（図３において紙面に垂直な方向、図４において左右方向）にスライドされるインクジェト記録ヘッド４０を備えている。このインクジェット記録ヘッド４０と対向してプラテン４１が設けられている。搬送される記録用紙は、このプラテン４１上に送られる。また、図示されていないインクカートリッジが複合機１０内に設置されている。インクカートリッジは、シアン（Ｃ）・マゼンタ（Ｍ）・イエロー（Ｙ）・ブラック（Ｋ）の各色インクを貯留しており、チューブ等の管路を通じてインクカートリッジから上記各色インクがインクジェット記録ヘッド４０に供給される。
【００３４】
インクの供給を受けたインクジェット記録ヘッド４０は、主走査方向にスライドされつつ供給されたインクをインク滴として吐出することにより、プラテン４１上を搬送される記録用紙に画像を記録する。詳述すれば、図４が示すように、一対のガイド部材４２、４３が搬送路２３の上側に設けられている。これらガイド部材４２、４３は、記録用紙の搬送方向に所定間隔をあけて配置され、且つ搬送路２３の幅方向に延びている。インクジェット記録ヘッド４０はキャリッジ４４に保持されており、このキャリッジ４４が上記ガイド部材４２、４３に支持され、上記搬送路２３の幅方向にスライド自在となっている。下流側のガイド部材４３にベルト駆動機構４６が設けられている。このベルト駆動機構４６は、タイミングベルト４５を備えており、このタイミングベルト４５が上記キャリッジ４４に取り付けられている。このタイミングベルト４５は、搬送路２３の幅方向に無端環状に張設されており、図示されていないＣＲモータにより回転駆動される。タイミングベルト４５が駆動されることにより、キャリッジ４４は、ガイド部材４２、４３に支持されつつ上記主走査方向にスライドする。
【００３５】
図３が示すように、搬送路２３の上流側（インクジェット記録ヘッド４０よりも上流側）に駆動ローラ５５及び押さえローラ５６が設けられている。駆動ローラ５５は、図示されていないＬＦモータにより回転駆動されるようになっている。これら駆動ローラ５５及び押さえローラ５６は、搬送路２３を搬送される記録用紙を狭持する。駆動ローラ５５が回転されることにより、記録用紙は、搬送路２３の下流側へ送られ、プラテン４１上に配置される。この記録用紙の搬送は、用紙搬送用エンコーダにより監視されている。具体的には、用紙搬送用エンコーダは、駆動ローラ５５の回転軸に設けられたエンコーダディスク及び回転するエンコーダディスクからパルスを読み取るフォトセンサからなる。したがって、上記駆動ローラ５５の回転数が用紙搬送用エンコーダによって検出されることにより、上記記録用紙の搬送距離が決定されるようになっている。
【００３６】
上記搬送路２３の下流側（上記インクジェット記録ヘッド４０よりも下流側）に排紙ローラ５７及び押さえローラ５８が設けられている。排紙ローラ５７は、上記駆動ローラ５５を駆動するＬＦモータにより回転駆動されるようになっている。すなわち、排紙ローラ５７は、図示されていない連動機構を介して駆動ローラ５５と同期駆動されるようになっている。これら排紙ローラ５７及び押さえローラ５８は、インク滴が吐出された記録用紙を狭持する。排紙ローラ５７が回転されることにより、上記記録用紙は搬送路２３の下流側へ送られる。この場合の記録用紙の搬送についても、上記用紙搬送用エンコーダが監視している。したがって、この用紙搬送用エンコーダが上記排紙ローラ５７の回転数を上記駆動ローラ５５を介して検出することにより、上記記録用紙の搬送距離が決定される。
【００３７】
上記押さえローラ５６は、上記駆動ローラ５５を所定の押圧力で押圧するように駆動ローラ５５に対して弾性付勢されている。したがって、駆動ローラ５５と押さえローラ５６との間に記録用紙が進入した場合には、押さえローラ５６は、記録用紙の厚み分だけ弾性的に退避しつつ駆動ローラ５５と協働して記録用紙を狭持する。このように記録用紙が駆動ローラ５５と押さえローラ５６とによってニップされるので、駆動ローラ５５の回転力は、確実に記録用紙へ伝達される。また、上記押さえローラ５８も上記排紙ローラ５７に対して同様に設けられている。ただし、本実施形態では、押さえローラ５８は、記録済みの記録用紙に圧接されるので、記録用紙に記録された画像を劣化させないようにローラ面が拍車状に形成されている。
【００３８】
駆動ローラ５５及び押さえローラ５６に狭持された記録用紙は、所定の改行幅でプラテン４１上を間欠的に搬送される。インクジェット記録ヘッド４０は、記録用紙の改行ごとにスライドされ、記録用紙の先端側から画像記録を行う。画像記録が行われた記録用紙は、その先端側から排紙ローラ５７及び押さえローラ５８に狭持される。すなわち、記録用紙は、その先端側を排紙ローラ５７及び押さえローラ５８に、その後端側を駆動ローラ５５及び押さえローラ５６にそれぞれ狭持された状態で所定の改行幅で間欠して搬送され、このように搬送されつつインクジェット記録ヘッド４０によって画像の記録が行われる。記録用紙の所定領域に画像が記録された後は、排紙ローラ５７が連続的に回転駆動され、排紙ローラ５７及び押さえローラ５８により狭持された記録用紙は、排紙トレイ２１へ排出される。
【００３９】
図４が示すように、画像記録部２４の主走査方向の両側にパージ機構４７及び廃インクトレイ４８が配設されている。この「主走査方向の両側」とは、同図の左右両端側であって、インクジェット記録ヘッド４０による画像記録範囲外の領域（記録用紙が通過しない領域）をいう。
【００４０】
上記パージ機構４７は、インクジェット記録ヘッド４０のノズル面を覆うキャップ４９と、キャップ４９内に配置された支持部材８２、８３（図１０、図１３参照）と、このキャップ４９を介してインクジェット記録ヘッド４０に接続される吸引ポンプと、上記キャップ４９をインクジェット記録ヘッド４０のノズル面に接離させるための移動機構とを有する。同図では、上記支持部材８２、８３、吸引ポンプ及び移動機構は図示されていない。上記移動機構が作動することにより、キャップ４９がインクジェット記録ヘッド４０のノズル面を密封する。さらに上記吸引ポンプが作動することにより、インクジェット記録ヘッド４０からインクが吸引されるようになっている。このキャップ４９の構造については、後に詳述される。なお、上記吸引ポンプは、例えば可撓性のチューブがローラ等で順次押し潰されることによりチューブ内の空気が流動される形式のものや、その他の公知のポンプ機構が採用され得る。
【００４１】
また、上記廃インクトレイ４８は、インクジェット記録ヘッド４０のノズル面に対応して上側が開口したトレイである。この廃インクトレイ４８は、インクジェット記録ヘッド４０からインクが空吐出される際に、この空吐出されたインクを溜め受けるためのものである。
【００４２】
図５は、インクジェット記録ヘッドの下面（ノズル面）の拡大図である。
【００４３】
同図が示すように、インクジェット記録ヘッド４０は、複数のノズル５０を備えている。各ノズル５０は、インクジェット記録ヘッド４０の下面に開口するインク吐出口を有する。これらノズル５０は、ＣＭＹＫの各カラーインクに対応するグループに分類されており、各カラーインクに対応するノズル５０が記録用紙の搬送方向に列設されている。すなわち、同図において上下方向が記録用紙の搬送方向であり、最も左側にシアン（Ｃ）のカラーインクを吐出するための複数のノズル５０が搬送方向に直列に設けられている。そして、当該ノズル５０の列の隣に順次マゼンタ（Ｍ）及びイエロー（Ｙ）のカラーインクを吐出するための複数のノズル５０が搬送方向に直列に設けられており、さらに、その隣にブラック（Ｋ）インクを吐出するための複数のノズル５０が搬送方向に直列に設けられている。これらノズル５０の列は、所定の間隔で形成されており、同図が示すように、ＣＭＹＫに対応した４列のノズル５０が形成されている。なお、各ノズル５０の搬送方向のピッチや数は、記録画像の解像度等に応じて適宜設定されるものであり、また、カラーインクの種類数に応じてノズル５０の列数が増減され得る。
【００４４】
図６は、インクジェット記録ヘッドの内部構造を模式的に示す断面図である。
【００４５】
前述のように、ＣＭＹＫの各カラーインクに対応する各ノズル５０は、記録用紙の搬送方向に列設されている。同図が示すように、インクジェット記録ヘッド４０の下部に上記複数のノズル５０が形成されており、同図では、複数のノズル５０は、シアン（Ｃ）インクに対応している。各ノズル５０の上端側にマニホールド５１が形成されている。このマニホール５１も各カラーインクごとに形成されている。このマニホールド５１は、供給管５２及びマニホールド室５３とを有し、供給管５２から供給されたインクは、マニホールド室５３を通じて各ノズル５０に分配されるようになっている。
【００４６】
上記マニホールド室５３の各ノズル５０と対向する面は、インクが流れる下流側へ向かって下降するように傾斜されている。すなわち、マニホールド室５３の断面積が下流側へ向かって小さくなるように構成されている。本実施形態では、例えばノズル５０の側壁が圧電材料で構成されており、この圧電材料の変形によりノズル５０がインク滴を噴出させることができる。したがって、上記マニホールド５１により分配されたインクは、各ノズル５０のインク吐出口５０ａからインク滴として吐出される。なお、ノズル５０からインク滴を噴出させる機構は、その他の公知の機構を採用することができる。
【００４７】
さらに、上記マニホールド５１の上流側にはバッファタンク５４が配設されている。このバッファタンク５４は、上記ノズル５０及びマニホールド５１と同様にＣＭＹＫの各カラーインクに対応して設けられている。バッファタンク５４は、上記供給管５２を通じて上記マニホールド室５３と連通している。図示されていないインクタンクとインク供給口５４ａとがチューブ等の管路で連結され、既知の手段により上記インクタンクからバッファタンク５４へインクが供給されるようになっている。このように、インクは、インクタンクから直接ノズル５０へ供給されずに、バッファタンク５４に一旦貯留されるので、チューブ等の管路でインク内に発生した気泡が捕捉され得る。これにより、ノズル５０に気泡が進入することが防止される。また、バッファタンク５４内で捕捉された気泡は、気泡排出口５４ｂから図示されていないポンプ機構により吸引除去される。
【００４８】
図７は、パージ機構４７の要部拡大分解斜視図であって、上記キャップ４９の構造が図示されている。また、図８は、このキャップ４９の断面図である。
【００４９】
キャップ４９は、例えば、ブチルゴム、エチレンプロピレンジエン三元共重合体（ＥＰＤＭ）その他のエラストマからなり、図７が示すように、全体として矩形の板状を呈している。このキャップ４９を構成するゴムの硬度は３０（ＪＩＳ６２５３デュロメータタイプＡ硬度）である。もっとも、キャップ４９を構成するゴムの硬度は、３０〜５０（ＪＩＳ６２５３デュロメータタイプＡ硬度）の範囲で適宜設定され得る。このキャップ４９に後述される支持部材８２、８３が取り付けられている。なお、同図は、分解斜視図であるから、支持部材８２、８３は、キャップ４９から離れた位置に図示されている。
【００５０】
図４及び図８が示すように、本実施形態では、キャップ４９は、カラーキャップ部７０と、ブラックキャップ部７１とを備えており、これらが一体的に形成されている。カラーキャップ部７０は、シアン（Ｃ）・マゼンタ（Ｍ）・イエロー（Ｙ）の各カラーインクを吐出するノズル５０（図５参照）を一体に密閉し、ブラックキャップ部７１は、ブラック（Ｋ）インクを吐出するノズル５０のみを密閉する。このようにカラーキャップ部７０とブラックキャップ部７１とが別に設けられているので、キャップ４９がインクジェット記録ヘッド４０からインクを吸引した際に、キャップ４９内でＣＭＹのカラーインクとＫインクとが混合せず、ノズル５０内でインクの混色が生じないようになっている。
【００５１】
図７及び図８が示すように、キャップ４９は、平板状の基部７２と、この基部７２の上面（図４においてインクジェット記録ヘッド４０と対向する面）に設けられたリップ部７３、７４とを備えている。リップ部７３は、上記カラーキャップ部７０に対応して設けられており、リップ部７４は、上記ブラックキャップ部７１に対応して設けられている。本実施形態では、基部７２のうち、特にリップ部７３に対応する部分が基部７２ａとされ、リップ部７４に対応する部分が基部７２ｂとされる。
【００５２】
図９は、キャップ４９の拡大斜視図である。
【００５３】
リップ部７３は、筒状に形成されており、基部７２の上面７５から突出するように設けられている。このようにリップ部７３が筒状に形成されているので、このリップ部７３の先端がインクジェット記録ヘッド４０に当接されると、リップ部７３によって上記カラーインクを吐出するノズル５０が囲繞されるようになっている。
【００５４】
図８が示すように、このリップ部７３の先端部は、断面形状がＶ字状に形成されている。具体的には、リップ部７３は、インクジェット記録ヘッド４０に当接する接触面７６と、これに連続する第１傾斜面７７と、さらにこの第１傾斜面７７に連続する第２傾斜面７８とを有する。上記第１傾斜面７７は、上記接触面７６の周縁からリップ部７３の奥側内方へ延びている。また、上記第２傾斜面７８は、上記第１傾斜面７７の周縁からリップ部７３のさらに奥側へ延びている。ただし、この第２傾斜面７８は、上記第１傾斜面７７と鋭角をなすように交差し、リップ部７３の外側へ拡がるように延びている。
【００５５】
リップ部７４も上記リップ部７３と同様に筒状に形成されており、基部７０の上面７５から突出するように設けられている。このようにリップ部７４が筒状に形成されているので、このリップ部７４の先端がインクジェット記録ヘッド４０に当接されると、リップ部７４によって上記ブラックインクを吐出するノズル５０が囲繞されるようになっている。このため、リップ部７４は、上記リップ部７３よりも細長形状となっている。このリップ部７４も断面形状が略Ｖ字状になるように形成されており、インクジェット記録ヘッド４０に当接する接触面７９と、これに連続する第１傾斜面８０と、さらにこの第１傾斜面８０に連続する第２傾斜面８１とを有する。上記第１傾斜面８０は、上記接触面７９の周縁からリップ部７４の奥側内方へ延びている。また、上記第２傾斜面８１は、上記第１傾斜面８０の周縁からリップ部７４のさらに奥側へ延びている。ただし、この第２傾斜面８１は、上記第１傾斜面８０からリップ部７４の外側へ拡がるように延びている。
【００５６】
リップ部７４の側壁１０６ａ及びリップ部７３の側壁１０６ｂの肉厚寸法ｄ２は、上記基部７２（７２ａ、７２ｂ）の肉厚寸法ｄ１よりも大きく設定されている。具体的には、寸法ｄ１は、１．０〜２．５ｍｍに設定され、寸法ｄ２は、２．６〜４．０ｍｍに設定されている。また、リップ部７３とリップ部７４とを区画する境界壁１０６ｃの肉厚寸法ｄ３も、上記基部７２（７２ａ、７２ｂ）の肉厚寸法ｄ１よりも大きく設定されている。具体的には、寸法ｄ３は、２．６〜４．０ｍｍに設定されている。すなわち、上記基部７２ａ、７２ｂは、それぞれ、リップ部７３、７４の側壁１０６ａ、１０６ｂ及び境界壁１０６ｃよりも薄肉に形成され、十分な可撓性を有している。
【００５７】
そのため、リップ部７３がインクジェット記録ヘッド４０に当接し、上記吸引ポンプが作動されたときは、上記基部７２ａが容易に弾性変形し、また、リップ部７４がインクジェット記録ヘッド４０に当接し、上記吸引ポンプが作動されたときは、上記基部７２ｂが容易に弾性変形するようになっている。なお、後述のように、パージ機構４７は色切換機構１１０（図１４参照）を備えているので、上記吸引ポンプは、上記リップ部７３あるいは上記リップ部７４に対して個別にに又は包括的に作動することができる。
【００５８】
ここで、上記寸法ｄ１、ｄ２、ｄ３は、上記吸引ポンプが作動してインクジェット記録ヘッド４０とキャップ４９との間に区画される空間１０２ｂ、１０２ｃの圧力が低下した場合であっても、リップ部７３、７４の側壁１０６ａ、１０６ｂ及び境界壁１０６ｃが大きく変形せず且つ上記基部７２ａ、７２ｂのみが上記空間１０２ｂ、１０２ｃ側へ変形するように設定される。この場合、上記吸引ポンプが作動したときの空間１０２ｂ、１０２ｃ内の圧力、リップ部７３、７４の側壁１０６ａ、１０６ｂ及び境界壁１０６ｃの内周面積、キャップ４９を構成するゴムの硬度等に基づいて、上記寸法ｄ１、ｄ２、ｄ３が設計される。なお、上記吸引ポンプが作動して基部７２ａ、７２ｂが弾性変形することによる作用効果については、後述される。
【００５９】
また、図９が示すように、上記基部７２ａに貫通孔１０４が設けられ、上記基部７２ｂに貫通孔１０５が設けられている。すなわち、貫通孔１０４は、リップ部７３の底部に対応する位置に設けられ、貫通孔１０５は、リップ部７４の底部に対応する位置に設けられている。リップ部７３、７４は、それぞれ、これら貫通孔１０４、１０５を介して上記吸引ポンプと連通している。したがって、吸引ポンプが作動すると、リップ部７３、７４内の空気は、上記貫通孔１０４、１０５から吸い出される。
【００６０】
図１０は、上記キャップ４９内に配置された支持部材８２の斜視図であり、図１１及び図１２は、それぞれ、この支持部材８２の拡大断面図及び側面図である。図８が示すように、支持部材８２は、カラーキャップ部７０のリップ部７３内に嵌め込まれている。
【００６１】
図１２が示すように、支持部材８２は、例えば樹脂、ゴム又は金属から構成され、細長棒状に形成されている。同図が示すように、本実施形態では、支持部材８２の上面にスローなテーパが形成されている。図１１が示すように、支持部材８２は、底面部８４を有し、この底面部８４の両側から立ち上がる一対の側壁部８５、８６と、各側壁部８５、８６に連続する一対の当接部８７、８８と、この当接部８７、８８を連続させるクラウン部８９とを備えている。上記当接部８７、８８の表面は、平面状のショルダー面９７を構成している。このショルダー面９７は、後述のようにリップ部７３の上記第２傾斜面７８に当接するようになっている。このショルダー面９７が上記第２傾斜面７８に当接し支持することによる作用効果については、後に詳述される。
【００６２】
なお、本実施形態では、底面部８４が緩やかに凹むように湾曲しており、しかも、図１０が示すように支持部材８２の一端部にＶ字状の溝９０が形成されている。これにより、支持部材８２がリップ部７３に嵌め込まれた状態で上記吸引ポンプが作動した場合に、リップ部７３全体に負圧が均等に作用することになる。
【００６３】
図１３は、上記キャップ４９内に配置された支持部材８２の斜視図である。図８が示すように、支持部材８３は、ブラックキャップ部７１のリップ部７４内に嵌め込まれている。
【００６４】
支持部材８３は、例えば樹脂、ゴム又は金属から構成され、細長棒状に形成されており、上記支持部材８２と同様に、その上面にスローなテーパが形成されている。図８が示すように、支持部材８３は、リップ部７４の内部に嵌め込まれている。図１３が示すように、支持部材８３は、底面部９１を有し、この底面部９１の両側から立ち上がる一対の側壁部９２、９３と、各側壁部９２、９３に連続する一対の当接部９４、９５と、この当接部９４、９５を連続させるクラウン部９６とを備えている。上記当接部９４、９５の表面は、平面状のショルダー面９８を構成している。このショルダー面９８は、後述のようにリップ部７４の上記第２傾斜面８１に当接するようになっている。このショルダー面９８が上記第２傾斜面８１に当接し支持することによる作用効果については、後に詳述される。
【００６５】
なお、本実施形態では、この支持部材８３の底面部８４も緩やかに凹むように湾曲しており、且つ支持部材８３の一端部にＶ字状の溝９９が形成されている。しかも、図８が示すように、この支持部材８３の底面部８４には、長手方向に延びる溝１００が設けられている。これにより、支持部材８３がリップ部７４に嵌め込まれた状態で上記吸引ポンプが作動した場合に、リップ部７４全体に負圧が均等に作用することになる。
【００６６】
図１４は、インクタンク５９からインクジェット記録ヘッド４０へのインクの供給経路、及びインクジェット記録ヘッド４０の動作位置を模式的に示す図である。
【００６７】
前述のように、インクタンク５９から管路を通じてインクジェット記録ヘッド４０に供給されたインクは、一旦バッファタンク５４（図６参照）に貯留され、インク中の気泡が捕捉される。さらに、インクは、供給管５２からマニホールド室５３を経てノズル５０に分配され、各ノズル５０のインク吐出口５０ａからインク滴として吐出される。このようにしてインクジェット記録ヘッド４０が各カラーインクのインク滴を吐出しながら、画像記録範囲Ｗ１をスライドすることにより、このインクジェット記録ヘッド４０の下方を搬送される記録用紙に画像記録が行われる。
【００６８】
図１４が示すように、上記パージ機構４７及び廃インクトレイ４８は、それぞれ、インクジェット記録ヘッド４０の画像記録範囲Ｗ１外であってスライド可能範囲Ｗ２の両端側に配置されている。前述のようにパージ機構４７は、インクジェット記録ヘッド４０のノズル５０等から気泡や異物を吸引除去する。その際に、インクジェット記録ヘッド４０がスライド可能範囲Ｗ２の右端に移動され、パージ機構４７の移動機構によってキャップ４９が上方へ移動される。これにより、図８が示すように、キャップ４９は、インクジェット記録ヘッド４０の下面１０１に密着し、ノズル５０を囲繞する。
【００６９】
このとき、前述のように、キャップ４９がカラーキャップ部７０及びブラックキャップ部７１を備えているから、ブラック（Ｋ）インクを吐出するノズル５０がブラックキャップ部７１により囲繞され、カラー（ＣＭＹ）インクを吐出するノズル５０がカラーキャップ部７０により囲繞される。これにより、インクジェット記録ヘッド４０とブラックキャップ部７１との間に上記空間１０２ｂが区画され、インクジェット記録ヘッド４０とカラーキャップ部７０との間に上記空間１０２ｃが区画される。そして、上記吸引ポンプが作動することにより、インクジェット記録ヘッド４０とキャップ４９との間に形成される空間１０２ｂ、１０２ｃの圧力が低下され、これにより、インクジェット記録ヘッド４０のノズル５０等からインクが吸引される。
【００７０】
本実施形態に係るパージ機構４７は、色切換機構１１０を備えている。この色切換機構１１０は、上記吸引ポンプを上記空間１０２ｂ又は上記空間１０２ｃに接続する。したがって、この色切換機構１１０が作動することにより、ブラック（Ｋ）インク又はカラー（ＣＭＹ）インクが別々に吸引される。もっとも、上記色調整機構１１０は、上記吸引ポンプが作動することにより、ブラック（Ｋ）インク及びカラー（ＣＭＹ）インクが同時に吸引されるように設定されていてもよい。なお、この色切換機構１１０は、省略されてもよいことは勿論である。
【００７１】
また、廃インクトレイ４８（図１５参照）は、フラッシングと呼ばれるインクジェット記録ヘッド４０からのインクの空吐出を受けるためのものである。図１５が示すように、フラッシングが行われる際には、インクジェット記録ヘッド４０がスライド可能範囲Ｗ２の左端に移動され、その位置で各カラーインクが廃インクトレイ４８へ向かって空吐出される。なお、パージ機構４７及び廃インクトレイ４８の左右の配置は特に限定されるものではなく、スライド可能範囲Ｗ２において、前述と左右反対に配置されても、あるいは左右のいずれか一方に両者が配置されてもよい。
【００７２】
本実施形態に係る複合機１０では、使用開始時（電源が入れられたとき）やインクジェット記録ヘッド４０のノズル５０が詰まったとき、あるいは画像記録の際中に定期的にパージ機構４７が作動する。パージ機構４７が作動することによって前述のようにインクジェット記録ヘッド４０からインクが吸引されるので、ノズル５０内におけるインクの増粘化が防止される。
【００７３】
図１５は、パージ機構４７が作動したときのキャップ４９とインクジェット記録ヘッドの４０の下面１０１との相対的位置関係を模式的に示す図である。説明の簡略化のために、同図ではキャップ４９のリップ部７３のみが図示されているが、リップ部７４とインクジェット記録ヘッド４０との相対的位置関係も同様である。
【００７４】
パージ機構４７が作動する前においては、支持部材８２は、同図（ａ）が示すようにリップ部７３内に嵌め込まれている。なお、同図では図示されていないが、支持部材８３も同様にリップ部７４に嵌め込まれている（図８参照）。パージ機構４７が作動すると、キャップ４９が移動し、図１５（ｂ）が示すように、リップ部７３がインクジェット記録ヘッド４０の下面１０１に当接する。これにより、リップ部７３は、ノズル５０を取り囲んで覆う。さらに、吸引ポンプが作動することによってインクジェット記録ヘッド４０とキャップ４９との間に形成される上記空間１０２ｃの圧力が負圧となる。このキャップ４９の基部７２ａは、前述のように、上記空間１０２ｃが負圧となったときに容易に弾性変形するようになっているから、キャップ４９の基部７２ａは、同図が示すように、リップ部７３の内側に突出するように変形する。なお、リップ部７４の基部７２ｂについても、同様に変形し、上記空間１０２ｂも負圧となる。
【００７５】
吸引ポンプの作動に伴い上記空間１０２ｃの圧力は所定の負圧まで低下され、これにより、上記基部７２ａは、同図（ｃ）が示すようにリップ部７３の内側に突出する。このように変形した上記基部７２ａは、上記支持部材８２をリップ部７３の先端側（同図において上側）へ移動させる。この支持部材８２の当接部８７、８８は、リップ部７３の先端部の内側に当接する。これにより、このリップ部７３は、支持部材８２によって下方から支持されることになる。同様に、支持部材８３の当接部９４、９５もリップ部７４の先端部の内側に当接する（図８参照）。これにより、このリップ部７４は、支持部材８３によって下方から支持されることになる。したがって、上記空間１０２ｂ、１０２ｃが負圧となったことに起因して、万一リップ部７３、７４が内側に座屈倒伏しようとした場合であっても、上記支持部材８２、８３がこれを防止し、リップ部７３、７４とインクジェット記録ヘッド４０との接触状態が確実に維持される。
【００７６】
このように上記支持部材８２、８３がリップ部７３、７４を支持するから、リップ部７３、７４とインクジェット記録ヘッド４０との接触状態が維持され、これにより、仮にリップ部７３、７４が可撓性に富む構造を有する場合であっても、また、上記吸引ポンプがキャップ４９内の圧力を大きく低下させた場合であっても、リップ部７３、７４とインクジェット記録ヘッド４０との間に隙間が形成されることがない。したがって、インクジェット記録ヘッド４０のノズル５０は、キャップ４９によって確実に気密的に囲繞され、パージ機構４７によってノズル５０からインクが確実に吸引される。その結果、インクジェット記録ヘッド４０が大型化されたとしてもパージ機構４７が良好に機能し、インクジェット記録ヘッド４０のインク滴の吐出不良が確実に防止される。
【００７７】
特に本実施形態に係る複合機１０では、上記基部７２及びリップ部７３、７４がゴムにより一体的に形成されるから、上記キャップ４９が単一の部品として構成される。したがって、パージ機構４７の部品点数が削減され、ひいては複合機１０の製造コストの低減が図られる。しかも、本実施形態に係る複合機１０では、上記支持部材８２、８３を移動させるために、上記基部７２の薄肉化というきわめて簡単な手段により実現されている。したがって、上記支持部材８２、８３を移動させるための構造がきわめて簡単であり、その結果、複合機１０の製造コストの上昇が抑制されるという利点がある。
【００７８】
加えて、上記リップ部７３、７４の先端部は、図８及び図１５（ｂ）が示すように断面形状がＶ字状に形成され、それらの頂部が各リップ部７３、７４の内側に突出している。したがって、上記空間１０２ｂ、１０２ｃ内の圧力が負圧となれば、このリップ部７３、７４の先端部は、内側に倒伏する傾向にある。ところが、リップ部７３、７４の先端部が内側に倒伏しようとすれば、このリップ部７３の第２傾斜面７８に上記支持部材８２のショルダー面９７が当接し、当該リップ部７３の先端部が支持部材８２によって支持される。リップ部７４についても同様に、支持部材８３によって支持される。そして、これら支持部材８２、８３は、前述のように上記基部７２の変形によって移動され、上記リップ部７３、７４の先端部を支持する。つまり、本実施形態に係るパージ機構４７は、キャップ４９の変形及び支持部材８２、８３の移動を利用したきわめて簡単な手段によって、確実に上記リップ部７３、７４とインクジェット記録ヘッド４０との当接状態を維持している。
【産業上の利用可能性】
【００７９】
本発明は、パージ機構を備えたインクジェット記録装置ないし複合機に適用され得る。
【図面の簡単な説明】
【００８０】
【図１】図１は、本発明の一実施形態に係る複合機の外観構成を示す斜視図である。
【図２】図２は、本発明の一実施形態に係る複合機の断面図である。
【図３】図３は、本発明の一実施形態に係る複合機のプリンタ部の断面図である。
【図４】図４は、本発明の一実施形態に係る複合機のプリンタ部の平面図である。
【図５】図５は、本発明の一実施形態に係る複合機のインクジェット記録ヘッドの下面（ノズル面）の拡大図である。
【図６】図６は、本発明の一実施形態に係る複合機のインクジェット記録ヘッドの内部構造を模式的に示す断面図である。
【図７】図７は、本発明の一実施形態に係る複合機のパージ機構の要部拡大分解斜視図である。
【図８】図８は、本発明の一実施形態に係る複合機のパージ機構のキャップの断面図である。
【図９】図９は、本発明の一実施形態に係る複合機のパージ機構のキャップの拡大斜視図である。
【図１０】図１０は、本発明の一実施形態に係る複合機のパージ機構のキャップ内に配置された支持部材の斜視図である。
【図１１】図１１は、本発明の一実施形態に係る複合機のパージ機構のキャップ内に配置された支持部材の拡大断面図である。
【図１２】図１２は、本発明の一実施形態に係る複合機のパージ機構のキャップ内に配置された支持部材の側面図である。
【図１３】図１３は、本発明の一実施形態に係る複合機のパージ機構のキャップ内に配置された支持部材の斜視図である。
【図１４】図１４は、本発明の一実施形態に係る複合機のインクの供給経路及びインクジェット記録ヘッドの動作位置を模式的に示す図である。
【図１５】図１５は、本発明の一実施形態に係る複合機のパージ機構が作動したときのキャップとインクジェット記録ヘッドとの相対的位置関係を模式的に示す図である。
【符号の説明】
【００８１】
１０・・・複合機
４０・・・記録ヘッド
４７・・・パージ機構
４９・・・キャップ
５０・・・ノズル５０
７０・・・カラーキャップ部
７１・・・ブラックキャップ部
７２・・・基部
７３・・・リップ部
７４・・・リップ部
７６・・・接触面
７７・・・第１傾斜面
７８・・・第２傾斜面
７９・・・接触面
８０・・・第１傾斜面
８１・・・第２傾斜面
８２・・・支持部材
８３・・・支持部材
８７・・・当接部
８８・・・当接部
９４・・・当接部
９５・・・当接部
９７・・・ショルダー部
９８・・・ショルダー部
１０２・・・空間
【図１】
0004696820.tif 000002
【図２】
0004696820.tif 000003
【図３】
0004696820.tif 000004
【図４】
0004696820.tif 000005
【図５】
0004696820.tif 000006
【図６】
0004696820.tif 000007
【図７】
0004696820.tif 000008
【図８】
0004696820.tif 000009
【図９】
0004696820.tif 000010
【図１０】
0004696820.tif 000011
【図１１】
0004696820.tif 000012
【図１２】
0004696820.tif 000013
【図１３】
0004696820.tif 000014
【図１４】
0004696820.tif 000015
【図１５】
0004696820.tif 000016